(57)【特許請求の範囲】
【請求項１】
電波送受信部と、前記電波送受信部に関連する第一機能部と、前記電波送受信部に関連しない第二機能部と、前記第一機能部の機能を許可するか禁止するかを切換える切換操作部と、前記第二機能部の機能が選択されているとき、前記切換操作部による前記第一機能部の機能許可への切換操作を無効とする制御部を有することを特徴とするモバイル通信装置。
【請求項２】
前記第一機能部の機能が禁止されていることを周囲に告知する告知部を有することを特徴とする請求項１記載のモバイル通信装置。
【発明の詳細な説明】
【技術分野】
【０００１】
本発明は、携帯電話などのモバイル通信装置に関する。
【背景技術】
【０００２】
携帯電話などのモバイル通信装置は通信を行っていなくても電波を常時発信しているため、病院や発着時の航空機の中など周囲に悪影響を及ぼす場所では、電源を切ることが求められる。また、ペースメーカ装着者の安全保護のため、電車などでは「携帯電話オフ車両」が設けられている場合もある。一方、上記のような電波発生による悪影響の問題に対応するため、電源そのものは切らずに電波出力のみを禁止し、音楽の再生やゲームのプレイなどオフラインでの機能は可能とするモードが選択できるよう構成されているモバイル通信装置も販売されている。また、このようなモードでモバイル通信装置を使用していることを周囲の人に告知するため、電波出力発生禁止状態であることが認識できる共通のアイコンを一般化し、これをモバイル通信装置で表示する提案も行われている。このような電波出力禁止モードを持つモバイル通信装置に関しては、その使用法をめぐって種々の提案が行われている。    
【特許文献１】特開２００５−２２９１６３号公報
【特許文献２】特開２００６−２２９４１５号公報
【特許文献３】特開２００６−２５３８０２号公報
【発明の開示】
【発明が解決しようとする課題】
【０００３】
しかしながら、電波出力禁止モードは提案されてから久しいにも係らず、周囲の人にとっては電波出力状態での使用との区別が容易でないため、その普及のため検討すべき課題は多い。
【０００４】
本発明の課題は、上記に鑑み、携帯電話の電源オフが求められる環境でも、搭載されているオフライン機能をより容易に活用できるモバイル通信装置を提供することにある。
【課題を解決するための手段】
【０００５】
上記課題を達成するため、本発明は、電波送受信部に関連する第一機能部と、電波送受信部に関連しない第二機能部と、電源スイッチと、条件検出部と、電源スイッチ投入時に第一機能部の機能を禁止するとともに条件検出部によって検出される条件に応じて第一機能部の機能禁止状態を維持するか否か決定する制御部を有するモバイル通信装置を提供する。これによって、電源スイッチ投入時にまず電波を出さない形でモバイル通信装置を立上げ、次いで、条件に応じ第一機能の禁止状態を維持するか否か決定しているので、電源投入時に不用意に電波を発生させることがなくなる。
【０００６】
上記の第二機能部は、具体的には音楽コンテンツの記憶と再生機能、ゲーム機能、カメラ機能などであり、基本的には電波送受信機能に関係なく使用可能なものである。従ってこれらの機能を利用にあたっては、第一機能の禁止状態を維持してもよい。上記本発明の特徴は、電源投入直後にこのような機能を選択するようなとき、機能の選択前に不用意に電波が出力されることを防止する意義がある。
【０００７】
本発明の具体的な特徴によれば、モバイル通信装置に外部アクセサリ挿入部が設けられ、条件検出部は外部アクセサリ挿入部に外部アクセサリが挿入されていることを検出することによって第一機能部の機能禁止状態を維持する。また、条件検出部は外部アクセサリ挿入部に外部アクセサリが挿入されていないことを検出することによって第一機能部の機能禁止状態を解除する。外部アクセサリ挿入時は基本的に第一機能が不要なので、このような構成は極めて有用である。
【０００８】
本発明の他の特徴によれば、電波送受信部に関連する第一機能部と、電波送受信部に関連しない第二機能部と、第一機能部の機能を許可するか禁止するかを切換える切換部と、アクセサリ挿入部と、外部アクセサリ挿入部に外部アクセサリが挿入されることにより強制的に前記切換部により第一機能部の機能を禁止するとともに外部アクセサリ挿入部からのアクセサリが除去されても切換部に前記第一機能部の機能禁止状態を維持させる制御部を有するモバイル通信装置が提供される。これによって、外部アクセサリが挿入されているときは必ず第一機能部の機能が禁止されるようになるとともに、外部アクセサリが誤って脱落したときに不用意に電波が出力されることもなくなる。第二機能部の例は、音楽コンテンツの記憶と再生機能であり、外部アクセサリ挿入部は音楽コンテンツ出力アクセサリの挿入用である。第二機能部の他の例は、ゲーム機能であり、外部アクセサリ挿入部はゲームコンテンツ出力アクセサリの挿入用である。
【０００９】
上記本発明の具体的な特徴によれば、外部アクセサリ挿入部には、第一機能部の機能禁止中にしか使用できないよう規格化された専用外部アクセサリが挿入可能である。このように規格化された専用外部アクセサリを挿入する場合において、外部アクセサリの機能と上記本発明の特徴が特に有用に結びつく。
【００１０】
本発明のさらに具体的な特徴によれば、モバイル通信装置に手動操作部が設けられ、制御部は、この手動操作部の操作に基づき切換部により前記第一機能部の機能を許可する。そしてさらに具体的な特徴によれば、本発明のモバイル通信装置には外部アクセサリ挿入部に専用外部アクセサリが挿入されているか否かを検知する検知部が設けられ、制御部は、検知部が専用外部アクセサリ挿入を検知している状態において前記手動操作部が操作されても第一機能部の機能を許可しない。これによって、専用外部アクセサリが挿入されている限り、第一機能部の機能を許可しないことの信用性を確保する。
【００１１】
本発明のさらに具体的な特徴によれば、制御部は、専用外部アクセサリ挿入部からのアクセサリが除去された後に切換部に第一機能部の機能禁止状態を維持させている状態において、手動操作部が操作されたときは第一機能部の機能の許可に先だって確認操作を要求する。そしてさらに詳細な特徴によれば、制御部は確認要求に応じて手動操作部が再度操作されない限り切換部による前記第一機能部の機能の許可を実行しない。これによって、専用外部アクセサリが誤って脱落したような場合があったとしても、不用意な操作に基づく電波出力を防止できる。
【００１２】
本発明の他の具体的な特徴によれば、アクセサリ挿入部は、第一機能部の機能禁止中にしか使用できないことの告知手段を備えた専用外部アクセサリが挿入可能である。さらに具体的には、このような専用外部アクセサリは、第一機能部の機能禁止中にしか使用できないことを認知可能な所定の外観色を有する。このような外観色は、例えば、第一機能部の機能禁止中にしか使用できず安全であることを認知可能な緑色である。また、本発明の他の具体的な特徴によれば、アクセサリ挿入部は、第一機能部の機能禁止中にしか使用できないことを認知可能な所定の外観表示を備えた専用外部アクセサリが挿入可能である。これらの特徴によって、本発明に従って第一機能部の機能を禁止している状況をより効果的に周囲の第三者に告知することができる。
【００１３】
本発明の他の特徴によれば、電波送受信部に関連する第一機能部と、電波送受信部に関連しない第二機能部と、第一機能部の機能を許可するか禁止するかを切換える切換操作部と、第一機能部の機能禁止中にしか使用できないよう規格化された専用外部アクセサリが挿入可能な外部アクセサリ挿入部と、外部アクセサリ挿入部に専用外部アクセサリが挿入されているとき切換操作部による第一機能部の機能許可への切換操作を無効とする制御部を有するモバイル通信装置が提供される。これによって、専用外部アクセサリが挿入されている状態では電波が出力されないことの信用性を確保することができる。
【発明を実施するための最良の形態】
【００１４】
図１は、本発明の実施の形態に係るモバイル通信装置の実施例を示すブロック図である。本実施例は携帯電話２として構成されており、携帯電話２全体を制御するためのマイクロコンピュータからなる制御部４が操作部６の操作に応じて、電話機能部８などを制御する。操作部６は電源スイッチの機能も有する。電話機能部８は通常の電話機能に関する部分であり、音声の処理部や送話器、受話器を含む。
【００１５】
制御部４の機能は、記憶部８に格納されたソフトウエアによって実行される。記憶部８は、また携帯電話２全体の制御に必要な種々のデータを一時的に格納するとともに、住所録データなど携帯電話に蓄積保持すべき情報の記憶装置にもなっている。制御部４は、さらに表示部１０を制御し、操作部６の操作と連携するＧＵＩ表示を行うとともに制御結果の表示を行う。
【００１６】
制御部４は、ゲーム機能部１２の制御も行っている。このゲーム機能部１２は、主にオフラインで機能するものであるがオンラインゲームにも関与して機能することができる。当然ながらゲームのプレイは操作部６と表示部１０のＧＵＩによって行われる。制御部４は、さらにＡＶ記録再生部１４を制御し、音楽やビデオコンテンツの記録再生を行っている。ＡＶ記録再生部１４によるコンテンツの記録再生においても操作部６と表示部１０によるＧＵＩが関与する。ＡＶ記録再生部１４も主にオフラインで機能するものであるが、オンラインでのコンテンツのダウンロードにも関与して機能することができる。
【００１７】
携帯電話２は、電話機能部８および電話通信部１６により通常の通話を含む電話回線を介した無線通信を行うことができる。携帯電話２には、これと別に、不図示の無線ＬＡＮ、Ｂｌｕｅｔｏｏｔｈ（商標）、微弱電波などによる近距離通信部が備えられており、近距離通信圏内に存在する他の携帯電話等との無線通信も可能となっている。この携帯近距離通信部は法規制上問題のない規格に基づくものであって、通信圏は限られるが電話回線などのように料金が発生しないものである。
【００１８】
また、携帯電話２は、カメラ部１８を有し、撮影した画像を記憶部８に記憶することが可能であるとともに、電話通信部１６によって画像を他の携帯電話に送信することができる。このようにカメラ部１８も主にオフラインで機能するものであるが、上記のようにオンラインでの画像通信にも関与して機能することができる。カメラ部１８は、周囲が暗いときの撮影に用いられる補助照明部１９を有しており、撮影時または撮影時前後に被写体に向けて照明光を発生する。補助照明部１９はカメラ部の撮影レンズと同じ方向に向けて撮影レンズに近接して設けられており、白色ＬＥＤまたはフラッシュ閃光管によって構成される。
【００１９】
なお、携帯電話２は、充電式の主電源２０によって給電されていると共に、記憶部８はさらにリチウム電池などからなる補助電源２２によりバックアップされている。これによって、主電源２０の放電や交換の際に記憶部８に記憶されている情報が揮発するのを防ぐ。
【００２０】
携帯電話２には、さらにイヤホンプラグを挿入するためのジャック２４を有するイヤホン挿入部２６が設けられている。ジャック２４は一般的なイヤホンプラグを挿入することが可能であるとともに、電波出力禁止モード専用イヤホンのための専用プラグ２８を挿入することも可能となっている。イヤホン挿入部２６は、さらにメカ検知部３０を有し、専用プラグ２８がイヤホン挿入部２６に挿入されているか否かを判別する。
【００２１】
電波出力禁止モード専用イヤホンは、専用プラグ２８、専用リモコン３２、左用イヤホン３４および右用イヤホン３６からなっており、専用プラグ２８と専用リモコン３２は音声信号及び制御信号を伝えるケーブル３８で接続されているとともに、専用リモコン３２と左用イヤホン３４および専用リモコン３２と右用イヤホン３６はそれぞれ音声信号を伝えるケーブル４０、４２によって接続されている。
【００２２】
専用リモコン３２、左用イヤホン３４および右用イヤホン３６およびこれらに接続されているケーブル、はそれぞれ電波出力禁止モード専用イヤホンであることを告知するために外観が共通色（例えば緑）で構成されている。専用リモコン３２はＧＵＩ操作のための操作部４４および表示部４６を有するとともに、電波出力禁止状態であることを示すために共通に定められている電波禁止アイコン４８が外観の目立つところに固定的に設けられている。一方、左用イヤホン３４および右用イヤホン３６にも、同様の電波禁止アイコン５０、５２がそれぞれ外観の目立つところに固定的に
設けられている。電波禁止アイコンの設置場所は、専用リモコン３２、左用イヤホン３４および右用イヤホン３６だけでなく、これらに接続されているケーブル３８、４０および４２にもそれぞれ旗のような形状で設置してもよい。
【００２３】
上記のように構成することにより、周囲の人は電波出力禁止モード専用イヤホンの外観色または電波禁止アイコンにより、携帯電話２が電場出力禁止モードで使用されていることを知ることができる。なお、携帯電話２は、電波出力禁止モード専用イヤホンが使用されている限り、即ち専用プラグ２８がイヤホン挿入部２６に挿入されている限り、通常通信モードでは使用できないよう構成されており、電波出力禁止モード専用イヤホンによる周囲への告知と携帯電話２の状態が矛盾しないようになっている。この点については、後に詳述する。
【００２４】
電波出力禁止モード専用イヤホンは、ＡＶ記録再生部１４またはゲーム機能部１２のように基本的には、携帯電話２をオフラインで使用する際に用いられるものであるが、カメラ部１８も基本的には携帯電話２をオフラインにして使用される。従って、カメラ部１８も、電波出力禁止モードで使用する際にこれを周囲に告知するため、補助照明部１９を共通色（例えば緑とし、電波出力禁止モード専用イヤホンの外観色と統一して、一般的な電波出力禁止モード告知色とする）で電波出力禁止モード設定中を通じて発光させるよう構成される。なお、このような電波出力禁止状態告知用の発光は、撮影補助光よりも少ないエネルギー消費で行われるとともに、その発光態様についても、電波出力禁止状態であることを示すために定められている共通タイミングで点滅させ、発光を目立たせるとともにその意味を明らかにする。
【００２５】
上記のように補助照明部１９を通常の撮影補助光と異なる色により異なった態様で発光させるためには、補助照明部１９の照明窓を共通にして別の光源を設けるかまたは照明窓の色フィルタをメカ的に切換えるようにする。また照明光の制御については、共通の回路を兼用してもよく、また専用の回路を切換えて使用してもよい。補助照明部１９の管理については、後に詳述する。
【００２６】
図２は、図１の実施例における制御部４におけるモード切換え管理機能の基本フローチャートである。各種モード中の動作については、通常の携帯電話と同様であるので、図２では、説明を省略している。図２のフローは、携帯電話２の電源オン操作によってスタートし、まずステップＳ２で電波出力禁止モードを自動設定する。このように本発明の実施例では、電源が投入されると、まず電波出力モードにて携帯電話２を立ち上げ、電源投入時の電波出力による不測の事態を防止する。ステップＳ２のもう一つの意義は、電源投入時点で既に専用イヤホンが装着されている場合に備え、電波出力を最初から禁止しておくことにある。ステップＳ２に次いで、ステップＳ４では携帯電話機能の初期立上げおよび各部機能チェックが行われる。
【００２７】
ステップＳ４での初期立上げと各部機能チェックが完了するとステップＳ６で専用イヤホンが装着されているかどうかをチェックする。このチェックの情報元は、図１のメカ検出部３０である。ステップＳ６で専用イヤホンが装着されていることが検出されると、ステップＳ８で、電波出力禁止モード設定中であるかどうかがチェックされ、設定中でなければステップＳ１０に進んで電波出力禁止モードを自動設定する。これによって、専用イヤホンが装着されている限り、携帯電話２は電波を出力する通常通信モードでは機能できなくなる。次いでステップＳ１２で電波出力禁止モードアイコンの表示を指示してステップＳ１４の電波出力モード管理処理に移行する。なお、ステップＳ１２での指示は表示部１０において電波禁止アイコンを表示させるものである。
【００２８】
なお、ステップＳ２で既に電波出力禁止モードに自動設定されているのに加えてステップＳ１０が設けられている理由は、電源投入後に通常モードへの切換が行われ、その後専用イヤホンが装着された場合に対応するためである。これに対し、専用イヤホンが装着されている状態で電源を投入した場合は、既にステップＳ２で電波出力禁止モードへの設定が済んでいるのでステップＳ８から直接ステップＳ１４に移行する。ステップＳ１４の詳細は後述する。
【００２９】
一方、ステップＳ６で専用イヤホンの装着が検出されない場合はステップＳ１６に進み、電波出力禁止モードの手動選択操作が行われたかどうかチェックする。そしてこの操作が検出されるとステップＳ１２のアイコン表示を経由してステップＳ１４に移行する。このように、専用イヤホンが装着されていない場合においても、従来の携帯電話と同様にして電波出力禁止モードを手動選択することができる。
【００３０】
ステップＳ１６で電波出力禁止モードの手動選択操作が検出されなかったときはステップＳ１８に進み、カメラモードの手動選択操作が行われたかどうかチェックする。そしてこの検出がなければステップＳ２２に進み、電波出力を許可してステップＳ２４で通常通信モードを自動設定する。このように、専用イヤホンが装着されていない状態で電源を投入し、電波出力モードの手動選択やカメラモードの手動選択を行わなければ、つまり何もしなければ、携帯電話２はステップＳ６およびステップＳ１６からステップＳ２２を経て、自動的に通常通信モードに至る。
【００３１】
ステップＳ２４での通常通信モードへの自動設定が完了するとフローはステップＳ２６に進み、電源オフ操作が行われたかどうかチェックし、操作が検出できなければステップＳ６に戻る。このとき専用イヤホンの装着が検出されればステップＳ８からステップＳ１０に進んで強制的に電波出力禁止モードが自動設定されることは上記したとおりである。また、専用イヤホンの装着が検出されなければステップＳ６からステップＳ１６に移行し、以後何もしなければステップＳ２０に至り、この場合は通常通信モード機能中であるから直接ステップＳ２６に至る。以下、ステップＳ６、ステップＳ１６、ステップＳ１８およびステップＳ２６での検出がない限り、ステップＳ６からステップＳ２６が繰り返される。
【００３２】
一方、ステップＳ２６で電源オフ操作が検出されたときはステップＳ２８に進みモード管理機能終了処理を行ってフローを終了する。また、ステップＳ１８でカメラモード手動選択操作が検出されたときにはステップＳ３０のカメラモード管理処理に入る。なお、既に述べたように図２はモード管理機能に関する基本フローチャートであり、ステップＳ２４で通常通信モードが設定されてからの通常携帯電話と同様の機能などは説明を省略している。
【００３３】
図３は、図２のステップＳ１４における電波出力禁止モード管理処理の詳細を示すフローチャートである。フローがスタートすると、ステップＳ３２で通常通信モードの手動選択操作があったかどうかがチェックされる。操作があればステップＳ３４に進み、専用イヤホンが装着中であるかどうかがチェックされる。図２からわかるようにステップＳ１４の電波出力禁止モード管理処理へは、ステップＳ６の専用イヤホン装着検出を受けたステップＳ１０の自動設定によるもののほか、専用イヤホンが装着されていない場合におけるステップＳ１６の手動設定を経由する場合があるからである。
【００３４】
ステップＳ３４において専用イヤホンが装着中であることが検出されると、ステップＳ３６に進み、専用イヤホン装着中は電波出力が禁止されている旨の表示が指示される。次いで、ステップＳ３８で所定時間（たとえば５秒）待った上でステップＳ４０に進み、再度専用イヤホンが装着中であるかどうかチェックする。これは、ステップＳ３６で指示された表示を見た操作者が所定時間内に専用イヤホンを除去することを想定したものである。ステップＳ４０で専用イヤホンが装着中でないことが検出されるとステップＳ４２に進み、専用イヤホン装着なしで電波出力禁止モードになっている旨の表示が指示される。
【００３５】
以上のように、一度電波出力禁止モードの管理処理に入ると、ステップＳ３２で通常通信モードへの手動選択操作があってもそれだけでは直ちにモード変更を実行しない。これは、専用イヤホンが装着されているにもかかわらず通常通信モードが設定されることを禁止し、専用イヤホンが装着されている限り電波は出力されていないことの信用性を増すためである。さらにステップＳ４０で専用イヤホンが装着されていない旨の検出ができた場合でも直ちにモード変更を実行しない。これは、電波出力が許されていない場所で通常通信モード手動選択操作を行い、かつ専用イヤホンが誤って脱落した場合等において通常通信モードに自動復帰することを防止するためである。つまり、専用イヤホンの除去によって電波出力禁止の旨の周囲への告知はできなくなるものの、誤って電波が出力されることだけは防止する。
【００３６】
次いでステップＳ４４に進んで、通常通信モードへの手動選択操作を再度行うよう使用者に要求する表示を指示する。次いでステップＳ４６に進み、ステップＳ４４における要求表示から所定時間内に手動操作が行われたかどうかチェックする。そしてステップＳ４６で通常通信モード手動選択の再操作が検出されたときに限りステップＳ４８に進み、通常通信モードへの設定を実行して図２の基本フローのステップＳ６に復帰する。一方ステップＳ４６で所定時間内の再手動操作が検出されなかったときは使用者にモード変更の意思なしと看做してステップＳ５０に進み、要求表示を停止した上でステップＳ３２に戻る。
【００３７】
上記のようにしてステップＳ４６経由でステップＳ３２に戻った場合において、ステップＳ３２で通常通信モードへの手動選択操作が検出されたときは、ステップＳ３４に進んで専用イヤホン装着中でないことが検出されるので、直接ステップＳ４２に至り、以下同様にステップＳ４２以降のステップを実行する。なお、図２のステップＳ１６からステップＳ１４に至ったときのように、元々専用イヤホンが装着されていない状況で図３のフローがスタートした結果ステップＳ３２で通常通信モードへの手動選択操作が検出されたときも、ステップＳ３４では専用イヤホン装着中でないことが検出される。この場合も、直接ステップＳ４２に至り、以下同様にステップＳ４２以降のステップを実行する。いずれにしても、ステップＳ３２の手動操作検出およびステップＳ４６での再操作検出を待って通常通信モードへの設定を実行する。
【００３８】
ステップＳ３２で通常通信モード手動選択操作が検出されない場合には、ステップＳ５２に進み専用イヤホン装着中かどうかのチェックを行う。そして専用イヤホン装着中でなければ、ステップＳ５４に進み、専用イヤホン装着なしで電波出力禁止モードになっている旨の表示を指示してステップＳ３２に戻る。一方、ステップＳ５２で専用イヤホン装着中であることが検出されたときは、直接ステップＳ３２に戻る。以下、ステップＳ３２で常通信モード手動選択操作が検出されない限り、電波出力禁止モードを維持してステップＳ３２、ステップＳ５２（およびステップＳ５４）を繰り返す。なお、図３もモード切換え管理機能のみを図示し、音楽鑑賞やゲームプレイなど電波出力禁止モード維持中に利用できる機能については、電波出力禁止モードを有する通常携帯電話と同様なので、説明を省略している。
【００３９】
ステップＳ４０で専用イヤホン装着中であることが検出されたときは、ステップＳ３６およびステップＳ３８にもかかわらず専用イヤホンが除去されなかったものと看做して、ステップＳ３２に戻る。以上のようにして、ステップＳ４６での手動操作再検出がない限り、ステップＳ３２からステップＳ４６およびステップＳ５０からステップＳ５４が繰り返され、通常通信モードへの変更操作または専用イヤホン除去に対応する。
【００４０】
上記から明らかなように本発明の実施例では、電波出力禁止モードへのモード変更は図２のステップＳ６からステップＳ１２によって専用イヤホンの装着だけで自動的に行われるが、通常通信モードへの復帰は専用イヤホンを除去した上で手動設定操作を行うという手順を踏まない限り実行されないようにし、専用イヤホンの除去
で自動的に通常通信モードに復帰しないようにするのはもちろん、単に手動設定操作を行っただけで直ちに通常通信モードへの復帰が行われることがないようにする。従って、専用イヤホンが誤って脱落した場合などに不用意に電波が出力されるようなことがない。このように、本発明の実施例では、専用イヤホンが装着されている限り確実に電波が出力されない状況を確実にするため、通常通信モードから電波出力禁止モードへの変更に関しては使用者の意思にかかわらず専用イヤホンの装着により強制的にモード変更を行うとともに、不用意に電波が出力されてしまうことを防止するため、電波出力禁止モードから通常通信モードへの復帰に関しては、条件つきでモード変更を実行するものである。なお、実施例では電波出力禁止モードから通常通信モードへの復帰の条件を使用者の意思の確認としているが、本発明の実施はこれに限定されるものではない。例えば、病院内、航空機内、携帯電話オフ車両内などのように電波出力が禁止されている環境にあるのではないことの確認をもって上記条件の成立とするなど、本発明の特徴は広く活用することができるものである。
【００４１】
また、本発明の実施例では、まずステップＳ２で電波出力モードにて携帯電話２を立ち上げて電源投入時の電波出力による不測の事態を防止するとともに、ステップＳ６での専用イヤホン装着の有無、ステップＳ１６での電波出力禁止モード手動設定の有無、またはステップＳ１８でのカメラモード選択の有無などの諸条件のチェックを行い、電波出力を許可してよい条件が成立していることが確認できてからステップＳ２２に進み、ステップＳ２４で携帯電話２を通常通信モードに自動設定している。しかしながら、本発明の特徴の実施は上記に限定されるものではない。つまり、まず電波出力モードにて携帯電話２を立ち上げ、次いで電波出力を許可してよい条件の成立を確認した上で携帯電話２を通常通信モードに自動設定するという立上げ時のモード設定に関する本発明の特徴は、例えば、病院内、航空機内、携帯電話オフ車両内などのように電波出力が禁止されている環境にあるのではないことの確認をもって上記条件の成立とするなど、広く活用することができるものである。
【００４２】
本発明の実施例では、専用イヤホンの装着を検出のために図１のメカ検知部３０を採用している。しかしながら、イヤホン挿入部２６に専用プラグ２８が挿入されているか否かを検知する検知部はこのようなものに限定されるものではない。例えば、ジャック２４を通じて意専用リモコン３２から送られてくる識別信号を制御部４で認証し、専用リモコンであることを検出することも可能である。
【００４３】
図４は、図２のステップＳ３０におけるカメラモード管理処理の詳細を示すフローチャートである。図４においてもモード切換管理を主体として説明し、カメラモード内におけるカメラ機能など通常のカメラつき携帯電話と同様の機能は説明を省略している。図１に明らかなようにカメラ部１８は補助照明部１９を有しているが、カメラモード管理処理に入って図４のフローがスタートすると、ステップＳ６２において補助照明部１９を活用し、これに通常の補助照明の際とは異なる電波出力禁止モード告知色（例えば緑）にて補助光を点灯させる。また、このとき告知パターンとして認知される点滅をともなってもよい。
【００４４】
ステップＳ６２で開始された電波出力禁止モード告知色補助光点灯は、カメラモード中継続されるが、ステップＳ６４からステップＳ７０の処理により、補助光点灯が必要な撮影が行われる時間帯のみ、ステップＳ６８のように本来の補助光を点灯させる。また、ステップＳ７２からステップＳ８２の処理により、電波出力禁止モードから通常通信モードに手動設定されたときは、所定の確認手順を経て、ステップＳ８２により、電波出力禁止モード告知色補助光が消燈させられる。
【図面の簡単な説明】
【００４５】
【図１】本発明の実施の形態に係るモバイル通信装置の実施例を示すブロック図である。
【図２】図１の実施例の制御部におけるモード切換え管理機能の基本フローチャートである。
【図３】図２のステップＳ１４の詳細を示すフローチャートである。
【図４】図２のステップＳ３０の詳細を示すフローチャートである。
【符号の説明】
【００４６】
１６  電波送受信部８、１６  第一機能部１２、１４、１８  第二機能部６  電源スイッチ３０  条件検出部４  制御部４  切換部２６  外部アクセサリ挿入部６  切換操作部
【図１】
0005247216.tif 000002
【図２】
0005247216.tif 000003
【図３】
0005247216.tif 000004
【図４】
0005247216.tif 000005